(57)【要約】【課題】  内部実装効率が良好でコンパクトな形態を備えたスライド式の携帯情報端末を提供する。【解決手段】  奥行方向Ｄの厚さが幅方向Ｗの一方から他方に向かって徐々に細くなるくさび形の外観形状を備えた第１の筐体１００と第２の筐体２００を、スライド機構部３００を介してスライド可能に連結して筐体１０を構成し、筐体１０は、第１の筐体１００と第２の筐体２００とを重ねた状態で、奥行方向Ｄの厚さが最も厚い第２の筐体２００の一部２０４が第１の筐体１００の正面の片側に配置されると共に、奥行方向Ｄの厚さが最も厚い第１の筐体１００の一部が第２の筐体２００の背面の片側に配置され、第１の筐体１００の奥行方向Ｄの厚さが最も厚い部分にカメラ装置１３４を配置する。【選択図】  図１
2005084955.tif 000002
【特許請求の範囲】
【請求項１】
第１の筐体と第２の筐体とをスライド可能に連結するスライド機構部とを有する筐体からなる携帯情報端末において、
前記筐体は、奥行方向より高さ方向が大きく、高さ方向より幅方向が大きい薄型扁平な外観形状を備え、前記スライド機構部を介して、前記第１の筐体と第２の筐体とを重ねた第１の状態と、前記第１の筐体と第２の筐体とを引き延ばした第２の状態とを取り得るように連結され、
前記第１の筐体と第２の筐体は、奥行方向の厚さが幅方向の一方から他方に向かって徐々に細くなるくさび形の外観形状を備え、
前記筐体は、前記第１の状態では、奥行方向の厚さが最も厚い前記第２の筐体の一部が前記第１の筐体の正面の片側に配置されると共に、奥行方向の厚さが最も厚い前記第１の筐体の一部が前記第２の筐体の背面の片側に配置され、
前記第１の筐体は、奥行方向の厚さが最も厚い部分に配置されたカメラ装置を備えていることを特徴とする携帯情報端末。
【請求項２】
請求項１に記載の携帯情報端末において、
前記第１の筐体は、前記カメラ装置と対向する位置に配置されたスピーカー部を備えていることを特徴とする携帯情報端末。
【請求項３】
請求項１に記載の携帯情報端末において、
前記第１の筐体は、奥行方向の厚さが薄い部分に配置されたファンクションキーを備えていることを特徴とする携帯情報端末。
【請求項４】
第１の筐体と第２の筐体とをスライド可能に連結するスライド機構部とを有する筐体からなる携帯情報端末において、
前記筐体は、奥行方向より高さ方向が大きく、高さ方向より幅方向が大きい薄型扁平な外観形状を備えるとともに、前記スライド機構部を介して、前記第１の筐体と第２の筐体とを重ねた第１の状態と、前記第１の筐体と第２の筐体とを引き延ばした第２の状態とを取り得るように連結され、
前記第１の筐体と第２の筐体は、奥行方向の厚さが幅方向の一方から他方に向かって徐々に細くなるくさび形の外観形状を備え、
前記筐体は、前記第１の状態では、前記第２の筐体の一部が前記第１の筐体の正面の片側に配置されると共に、前記第１の筐体の一部が前記第２の筐体の背面の片側に配置され、
さらに、前記筐体は、前記第１の筐体に配置された表示部とファンクションキー部とカメラ装置と前記表示部の上方に配置された第１スピーカー部と、前記第２の筐体に配置されたテンキー部と第２スピーカー部とを備え、
前記第１の状態では、前記表示部と前記ファンクションキー部が前記第１スピーカー部と前記第２スピーカー部との間に配置され、
前記第２の状態では、前記表示部と前記ファンクションキー部と前記テンキー部が前記第１スピーカー部と前記第２スピーカー部との間に配置され、
前記カメラ装置は、前記第１の筐体の奥行方向の厚さが最も厚い部分に配置されるとともに、前記第１および第２の状態の状態に係わらず、前記筐体の背面で露出していることを特徴とする携帯情報端末。
【請求項５】
請求項１から請求項４に記載の携帯情報端末において、
前記第２の筐体は、その幅方向に沿って前記カメラ装置の操作ボタンが設けられていることを特徴とする携帯情報端末。
【請求項６】
請求項１から請求項４に記載の携帯情報端末において、
前記第２の筐体は、奥行方向の厚さが厚い部分に着脱可能に配置されたバッテリーを備えていることを特徴とする携帯情報端末。
【発明の詳細な説明】
【技術分野】
【０００１】
本発明は、複数の筐体をスライド可能に連結することで、縮小時にはコンパクトな形態を取り、伸ばした状態では使用者の耳と口に合った長さを得られるスライド式の携帯情報端末に関する。
【背景技術】
【０００２】
近年、カメラ機能を備えた携帯電話が脚光を浴びている。これらの携帯電話は、携帯時にはコンパクトで、通話時には耳と口にあった長さを備えるように形態を変化させるものが主流となっている。これら従来例は、２つの筐体を連結部を介して折りたたみ可能に設けたものが主流であったが、最近は多様な構造を備えたものが提案されている。
【０００３】
その１つに、２つの筐体をスライド可能に連結し、携帯時や撮影時には重ねた状態で、通話時には引き伸ばして、所定の長さを得るようにしたものがある。
【０００４】
【特許文献１】特開平２００３−３２３３５号公報
【０００５】
【特許文献２】特開２００３−１１０６７５号公報
【発明の開示】
【発明が解決しようとする課題】
【０００６】
前記従来例では、薄い２つの筐体をスライド可能に連結しているので、これら筐体に内部装置を配置することが大きな課題である。例えば、内部装置を効率よく配置できないと、装置が大型化し、携帯性を損なうこととなる、特に、カメラ機構部は、光学式の望遠機能を充実させると大型化することとなり、２つの筐体をスライドさせるこのタイプの構造には不向きなことが懸念される。
【０００７】
更にまた、これら携帯電話では、薄い２つの筐体を単純にスライドさせると、通話時の落下や、通話姿勢で筐体を保持する指が頬に触れて、良好な通話姿勢が取れない課題がある。
【０００８】
そこで、この発明の目的は、内部実装効率が良好でコンパクトな形態を備えたスライド式の携帯情報端末を提供することにある。
【課題を解決するための手段】
【０００９】
前記目的を達成するために、本発明は、第１の筐体と第２の筐体とをスライド可能に連結するスライド機構部とを有する筐体からなる携帯情報端末において、前記筐体は、奥行方向より高さ方向が大きく、高さ方向より幅方向が大きい薄型扁平な外観形状を備え、前記スライド機構部を介して、前記第１の筐体と第２の筐体とを重ねた第１の状態と、前記第１の筐体と第２の筐体とを引き延ばした第２の状態とを取り得るように連結され、前記第１の筐体と第２の筐体は、奥行方向の厚さが幅方向の一方から他方に向かって徐々に細くなるくさび形の外観形状を備え、前記筐体は、前記第１の状態では、奥行方向の厚さが最も厚い前記第２の筐体の一部が前記第１の筐体の正面の片側に配置されると共に、奥行方向の厚さが最も厚い前記第１の筐体の一部が前記第２の筐体の背面の片側に配置され、前記第１の筐体は、奥行方向の厚さが最も厚い部分に配置されたカメラ装置を備えるように構成する。
【００１０】
また、前記目的を達成するために、本発明は、第１の筐体と第２の筐体とをスライド可能に連結するスライド機構部とを有する筐体からなる携帯情報端末において、前記筐体は、奥行方向より高さ方向が大きく、高さ方向より幅方向が大きい薄型扁平な外観形状を備えるとともに、前記スライド機構部を介して、前記第１の筐体と第２の筐体とを重ねた第１の状態と、前記第１の筐体と第２の筐体とを引き延ばした第２の状態とを取り得るように連結され、前記第１の筐体と第２の筐体は、奥行方向の厚さが幅方向の一方から他方に向かって徐々に細くなるくさび形の外観形状を備え、前記筐体は、前記第１の状態では、前記第２の筐体の一部が前記第１の筐体の正面の片側に配置されると共に、前記第１の筐体の一部が前記第２の筐体の背面の片側に配置され、さらに、前記筐体は、前記第１の筐体に配置された表示部とファンクションキー部とカメラ装置と前記表示部の上方に配置された第１スピーカー部と、前記第２の筐体に配置されたテンキー部と第２スピーカー部とを備え、前記第１の状態では、前記表示部と前記ファンクションキー部が前記第１スピーカー部と前記第２スピーカー部との間に配置され、前記第２の状態では、前記表示部と前記ファンクションキー部と前記テンキー部が前記第１スピーカー部と前記第２スピーカー部との間に配置され、前記カメラ装置は、前記第１の筐体の奥行方向の厚さが最も厚い部分に配置されるとともに、前記第１および第２の状態の状態に係わらず、前記筐体の背面で露出するように構成する。
【発明の効果】
【００１１】
本発明によれば、内部実装効率が良好でコンパクトな形態を備えたスライド式の携帯情報端末を提供することができる。
【発明を実施するための最良の形態】
【００１２】
以下、本発明に係る携帯情報端末の実施形態を、携帯電話を例として図面により説明する。ここで、同一の部材や部位は同符号をもって示し、重複した説明を省略する。
（第１の実施形態）
図１から図７は本発明による携帯情報端末の第１の実施形態を示す図であり、図１は携帯電話の外観図、図２は携帯電話の断面図、図３は筐体を縮めた状態の外観図、図４は筐体を引き伸ばした状態の外観図、図５はスライド機構を示す断面図、図６は筐体を引き伸ばした状態の保持姿勢の説明図、図７は筐体を縮めた状態のカメラ撮影姿勢の説明図である。
【００１３】
先ず、図１を参照して、第１の実施形態に係る携帯電話の概略構造を説明する。図１において、図１（ａ）と図１（ｂ）は筐体を縮めた第１の状態の斜視図で、図１（ａ）が正面側、図１（ｂ）が背面側からみた斜視図である。また図１（ｃ）と図１（ｄ）は筐体を引き伸ばした第２の状態の斜視図で、図１（ｃ）が正面側、図１（ｄ）が背面側からみた斜視図である。
【００１４】
この実施形態に係る携帯電話は、通常の電話機能に加えて、テレビ放送や、各種の画像または音声の再生、更に情報端末としての機能を備えている。符号１で総括的に示す携帯電話は、第１の筐体１００と、第２の筐体２００と、この２つの筐体をスライド可能に連結するスライド機構部３００とを備えている。この実施形態では、前記２つの筐体で構成される筐体１０全体を奥行方向Ｄより高さ方向Ｈが大きく、高さ方向Ｈより幅方向Ｗが大きい薄型偏平な直方体形状を基調としている。
【００１５】
そして、この実施形態では、幅方向Ｗに対して左右に２分割し、この分割部分を介して２つの筐体が前後関係を持つように上面からみて斜めに分割する。即ち、この実施形態では、２つの筐体の分割部分の厚みが、上面からみて、幅方向Ｗの一方から他方に向かって徐々に細くなる第１の筐体１００と第２の筐体２００とから構成する。
【００１６】
更に、第１と第２の筐体を厚みのある一端側１０１、２０１と薄い他端側１０２、２０２とが前後に位置するように重ねて組み合わせ、この２つの筐体の接触する面をスライド面３０１として、筐体１０の幅方向Ｗにスライドする構造としている。これにより、図１（ａ）および図１（ｂ）で示すように、２つの筐体を重ねた（縮めた）第１の状態では、筐体１０を直方体、即ち、薄い箱形の形状とし、２つの筐体を幅方向Ｗに引き伸ばした第２の状態では、幅方向Ｗの両端が奥行きがあり、２つの筐体が重なる中央部分は奥行きの少ない形状とすることができる。
【００１７】
したがって、第１の状態をコンパクトで携帯性に優れた形状とすることができるとともに、引き伸ばした第２の状態では、引き伸ばした筐体１０の長手方向（幅方向Ｗ）を上下に保持することで、使用者の耳と口にあった長さが得られ、かつ保持性が良好な形状に変化させることができる。
【００１８】
また、この実施形態では、第１の状態では、第１の筐体１００の広い面（正面）１０３の片側（薄い他端側１０２）に第２の筐体２００の一部２０４を配置させることができる。この第２の筐体の一部２０４は、常に第１の筐体１００の広い面１０３の片側に配置される。即ち、２つの筐体を引き伸ばした状態でも、第１の筐体１００の幅方向Ｗの片側に第２の筐体２００の一部２０４を位置させることができる。
【００１９】
この実施形態では、この第１、第２の状態でも第１の筐体１００の広い面１０３の片側に位置する第２の筐体２００の一部２０４に、第２のスピーカ部２０５を配置し、この第２の筐体２００の一部２０４と対向する第１の筐体１００の片側（厚みのある一端側１０１）に第１のスピーカ部１０５を配置する。そして、この２つスピーカ部の間の第１の筐体１００の広い面１０３に表示部１１０を配置する。これにより、第１、第２の状態でも、表示部１１０の両側に一対のスピーカ部１０５、２０５を位置させることができる。したがって、この表示部１１０とスピーカ部１０５、２０５の配置関係を利用して、テレビ放送や再生映像などの各種の画像を前記表示部１１０に表示させながら、その両側に配置される一対のスピーカ部１０５、２０５を介してステレオ音響の放音を可能とすることができる。更に、この実施形態では、表示部１１０と第２のスピーカ部２０５の間の第１の筐体１００にファンクションキー部１１１を配置する。このファンクションキー部１１１は、この携帯電話１の使用頻度の高い複数の操作スイッチから構成される。したがって、この実施形態では、ファンクションキー部１１１が第１、第２の状態でも常に露出して配置されるので、このファンクションキー部１１１を介して各種モードでの操作が可能となる。
【００２０】
また、この実施形態では、第１の筐体１００の片側（厚みのある一端側１０１）に図示しないレシーバー部、第２の筐体２００の一部２０４にマイク部２１０をそれぞれ配置している。これにより、筐体１０を引き伸ばした第２の状態では、この筐体１０の長手方向（幅方向Ｗ）の一端側に配置されるレシーバー部と、他の一端側に配置されるマイク部２１０を使用者の耳と口に合った位置とすることができる。一方、このマイク部２１０は、第１の状態でも露出して設けているので、第１の状態での録音に使用することができる。
【００２１】
また、この実施形態では、第１の状態において、筐体１０の裏面側も、前記した正面側と同様に、第２の筐体２００の片側（薄い他端側２０２）に第１の筐体１００の一部１０４を位置させることができる。この第１の筐体１００の一部１０４も第１、第２の状態でも常に筐体１０の外表面に露出するように構成される。この実施形態では、この第１の筐体１００の一部１０４にカメラ装置の撮影窓１１２を設けている。したがって、この実施形態では、第１および第２のいずれの状態でも、このカメラ装置の撮影窓１１２を利用してカメラ撮影を行うことができる。
【００２２】
そして、この実施形態の特徴の１つは、カメラ装置を撮影窓１１２の後方、即ち、第１の筐体１００の最も奥行きのある部分（厚みのある一端側１０１）に配置することができる。したがって、筐体１０の大型化を軽減しながらカメラ装置の大型化に対応できる。つまり、従来のスライド構造を備えた携帯電話は、２つの筐体を奥行方向Ｄに２分割し、この筐体を奥行き方向と直交する方向にスライドする構造が一般的である。この従来構造にカメラ装置を配置する場合、奥行方向Ｄが２分割された筐体の一方の筐体にカメラ部を配置することとなるため、カメラ部が大型化すると、必然的に筐体も大型化する課題がある。この実施形態によれば、筐体１０の奥行方向Ｄと一致する第１の筐体１００の奥行きが厚い部分にカメラ装置を配置することができるので、筐体１０の大型化を軽減しながらカメラ装置の大型化にも対応することができる。
【００２３】
一方、第１の筐体１００の奥行きが小さい端部側（薄い他端側１０２）には、ファンクションキー部１１１を配置するので、この薄い奥行部分には板状の操作基板を配置することができる。したがって、この実施形態ではデッドスペースを軽減できる。
【００２４】
なお、この実施形態では、第２の筐体２００の奥行きの厚い部分（厚みのある一端側２０１）に、大きな容量を占めるバッテリー部を配置し（図２参照）、第２の筐体２００の奥行きの小さい部分（薄い他端側２０２）には、基板を配置するので、装置の実装効率を損なうことなく、前記特異な形態を実現することができる。
【００２５】
また、この実施形態では、第２の状態で露出する第２の筐体２００のスライド面３０１ａに、この第２の状態、即ち、通話や文字入力姿勢で使用する文字・数値入力キー部２１２を配置している。したがって、収納または撮影姿勢となる第１の状態で使用しない操作キーを隠蔽し、逆に、第２の状態で使用する操作キーを第１の状態から第２の状態に変化させることで、露出させることができるので操作性を向上させている。
【００２６】
また、第１の状態で上面となる第２の筐体２００の奥行きのある側には、シャッタスイッチ２１３とモード切り替えスイッチ２１４を配置している。これにより、第１の状態で、カメラ撮影を行う場合、右手で筐体１０を保持しながら、上面に設けた前記スイッチ２１３、２１４を操作することができる。更に、この実施形態では、長手方向（幅方向Ｗ）を左右にする姿勢となるので、左右方向の両端部を両手で保持しながら撮影できるので、手ブレを防止することができる。しかも、この実施形態では、両端部にスピーカ部１０５、２０５を配置しているので、このスピーカ部の配置スペースをグリップ部とすることができる。したがって、両端部を保持する手が撮影画像を表示する表示部１１０を覆うことが軽減される（図７参照）。
【００２７】
一方、この実施形態では、第２の状態では、引き伸ばした端部を上下にして撮影することができる。この撮影姿勢では、ファンクションキー部１１１の特定のキーに撮影スイッチが割りつけられる。したがって、使用者は第２の筐体２００側を片手で保持して、その保持する親指を使って撮影操作を行うことができる（図６参照）。
【００２８】
このように、この実施形態では、第１の筐体１００は、筐体１０の正面と一方の側面を構成し、第２の筐体２００は、筐体１０の背面と他の側面を構成するように、第１と第２の筐体をそれぞれ奥行きのある一方から他方に向かって細くなるくさび型形状の筐体１０としている。そして、この実施形態では、前記２つの筐体をくさび型とすることにより、各筐体の長手方向（幅方向Ｗ）の一方を奥行き寸法が厚い形状とし、他方を先のとがった形状とすることができる。これにより、前記厚い側の内部に奥行方向Ｄにゆとりのある内部実装空間を確保することができるので、この広い内部実装空間を利用して奥行きのある内部実装品を配置することができる。特に、近年の携帯移動端末はカメラ装置の大型化が進んでいるので、筐体１０の奥行方向Ｄの大きさに相当するカメラ装置を配置することができる。
【００２９】
一方、先の尖った側には比較的厚さの小さい操作基板や制御基板の配置空間とすることができる。しかも、幅方向Ｗに引き伸ばすことによって生じる、第１の筐体１００と第２の筐体２００との間の段差を小さくすることができる。
【００３０】
そして、くさび型の２つの筐体を引き伸ばした状態では、長手方向（幅方向Ｗ）の両端が太く（奥行方向Ｄが大きく）、中央が細い、通話姿勢に良好な姿勢が得られる形態とすることができる。
【００３１】
なお、図１（ｄ）において、３０１ｂは２つの筐体を引き伸ばした状態で露出する第１の筐体１００のスライド面である。
【００３２】
以下、図２から図７を参照して、この実施形態に係る携帯電話を更に詳細に説明する。なお、図１に図示した携帯電話１は説明を簡単にするために、直線的な概略図形で図示したが、図２から図７では、実施品に適用した外観形状を図示している。
【００３３】
先ず、図２を参照して、内部実装品の配置構成を説明する。図２において、この実施形態では、第１、第２の筐体を、スライド面３０１を構成する内カバー１２０、２２０と、筐体１０の外側を覆う外カバー１２１，２２１とから構成する。
【００３４】
第１の筐体１００の内カバー１２０は、スライド面３１０ａと、筐体１０の背面側に常に露出するように形成される第１の筐体１００の一部１０４とを備えている。一方、第１の筐体１００の外カバー１２１は、第１の筐体１００の正面側全体を覆い、その正面にファンクションキー部１１１と表示部１１０と第１のスピーカ部１０５が配置される。この内カバー１２０と外カバー１２１は第１の筐体１００の周囲側面（上下面、左側面）に形成される分割溝を介して連結され、図示しないネジなどを介して固定される。また、外カバー１２１は、この外カバー１２１の基台となるベース筐体１２２と、このベース筐体１２２の一部、即ち、表示部１１０と第１のスピーカ部１０５を他の外装と分離するように形成される透明な化粧カバー１２３とから構成される。なお、化粧カバー１２３は、表示部１１０の部分を透明とし、他の周囲を内面塗装を施すことで意匠性を向上している。
【００３５】
また、第２の筐体２００は、第１の筐体１００と同様に、内カバー２２０が、スライド面３０１ｂと筐体１０の正面側に常に露出するように形成される第２の筐体２００の一部２０４とを備え、更に、第２の筐体２００の外カバー２２１が、この外カバー２２１の基台となるベース筐体２２２と、このベース筐体２２２の一部を覆うように着脱可能に取り付けられるバッテリーカバー２２３とから構成される。
【００３６】
さて、この実施形態では、断面形状がほぼ三角形状の空間に内部装置を効率よく配置するために、第１の筐体１００は、この第１の筐体１００の広い面１０３を基準にして内部装置を配置し、第２の筐体２００にあってはスライド面３０１を基準にして内部装置を配置している。
【００３７】
即ち、この実施形態では、第１の筐体１００の広い面１０３に表示部１１０を配置しているので、この広い面１０３の内側にこの広い面１０３と平行となるように液晶装置１３０を配置し、その後方（内側）に第１の基板１３１を並設させている。そして、第１の筐体１００の先細り部分（薄い他端側１０２）には、複数のスイッチからなるファンクションキー部１１１と、このファンクションキー部１１１の操作基板１３２を設けている。また、第１の筐体１００の厚い部分（厚みのある一端側１０１）には、第１の基板１３１が延長して設けてあり、外側に第１のスピーカ部１０５を構成するスピーカ装置１３３が取り付けられ、内側には、カメラ装置１３４が取り付けられる。そして、第１の基板１３１の内側、即ち、この第１の基板１３１とスライド面３０１ｂとの間に形成される断面が三角形状のスペースに合わせて基板部品１３５が取り付けられる。
【００３８】
一方、第２の筐体２００の内部は、スライド面３０１と平行となる姿勢で第２の基板２３０が配置され、この第２の筐体２００の奥行きの厚い部分の内側（スライド面３０１ａ側）に文字・数値入力キー部２１２と、第２のスピーカ部２０５を構成するスピーカ装置２３４と、マイク部２０５を構成するマイク装置２３５が配置され、その外側には、着脱可能なバッテリー部２３１と外部接続端子部２３２とアンテナ２３４とが取り付けられる。更に第２の基板２３０の外側の断面が三角形状のスペースには、このスペースに合うように大小の基板部品２３３が取り付けられる。
【００３９】
次に、図３を参照して、第1の状態の携帯電話１の外観を更に説明する。図３（ａ）は上面図、図３（ｂ）は正面図、図３（ｃ）は底面図、図３（ｄ）は背面図である。
【００４０】
図３において、この実施形態では、携帯電話１の外観を全体に箱型形状の角を落とした全体に丸みのある形状としている。即ち、この携帯電話１は、図３（ａ）および図３（ｃ）に示すように、２つの筐体の厚みのある一端側１０１、２０１の正面側または背面側の角部分をカットして大きな丸み形状としている。また、薄い他端側１０２、２０１から２つの筐体の一部１０４、２０４にかけて緩やかな曲面で連続した形状としている。一方、図３（ｂ）および図３（ｄ）に示すように、四隅に大きな丸みを形成している。
【００４１】
このように、この携帯電話１は、筐体１０の外観形状を、丸みのある四角い石鹸にも似た形状とすることにより、手に持った際には手の中に納まるように保持することができるので保持性に優れたコンパクトな形態とすることができる。特に、この実施形態では、筐体１０の長手方向（幅方向Ｗ）を左右とする姿勢で、筐体１０の一端側を片手で保持したり、または両端部を両手で保持して撮影しても手に収まりよく保持することができる。また、この丸みのあるコンパクトな形態を備えることにより、ポケットなどにも収納しやすくすることができる。しかも、この携帯電話１では、内部実装品を収納しづらい角部分をカットしているので、内部実装効率を損なうことなく、携帯性に優れた形態とすることができる。
【００４２】
更に、この実施形態では、図３（ａ）および図３（ｂ）に示すように、筐体１０を斜めに分割するスライド面３０１に沿ってバンパー部１１を形成し、このバンパー部１１に機能部品を集中配置している。例えば、図３（ａ）の上面では、シャッタスイッチ２１３とモード切り替えスイッチ２１４を配置し、図３（ｃ）の底面では、マナーモード設定キー２１５と、着脱可能な外部接続端子カバー２１６で覆われた外部接続端子部２３２を配置し、図示しない右側面側には充電端子部２１７を設けている。外部接続端子部２３２は、外部接続端子カバー２１６を取り外すことにより露出し、メモリーカード等の記録媒体の挿入や、外部機器等の接続を行うことができる。このバンパー部１１に配置される機能部品は、第２の基板２３０に直接取り付けているので、組立性や配線を短くすることができる。
【００４３】
また、図３（ｂ）において、この実施形態では、地上波デジタル放送を受信できる図示しないチューナを内蔵している。この地上波デジタル放送に対応するために、表示部１１０は１６対９の比率を備えた液晶装置１３０を採用している。そして、この実施形態では、スライド機構部３００の動作に連動して動作する図示しない画面切替スイッチを備え、この画面切替スイッチの動作により、図３に示す第１の状態では、横長の画面で表示させ、図４に示す第２の状態では縦長の画面で表示させる。
【００４４】
したがって、図３に示す第１の状態では、地上波デジタル放送を良好な横長画面で視聴することができる。しかも、この表示部１１０の両側には一対のスピーカ１０５、２０５が配置されるので、小型のテレビを見る感覚でこの携帯電話１を使うことができる。
【００４５】
また、この実施形態では、この表示部１１０に隣接して、この地上波デジタル放送の操作を行うファンクションキー部１１１が配置される。この実施形態では、ファンクションキー部１１１の操作で、表示部１１０にメニュー画面や各種の選択表示画面を表示させ、この画面に表示される各種アイコンや機能キーを、選択して、これを決定することができる。
【００４６】
このファンクションキー部１１１は中央に配置されるカーソル決定キー１１１ａとその両側に形成される一対の選択キー１１１ｂ、１１１ｃとから構成される。カーソル決定キー１１１ａは、四角形状のキー形状を備え、４方向の辺側を押下することで表示部１１０に表示されるカーソルを押下した方向に移動させることができ、また中央を押下することでカーソルで選択された各種アイコンや機能キーに割り当てられた機能を実行させることができる。
【００４７】
一方、一対の選択キー１１１ｂ、１１１ｃは、それぞれ、中央を支点にして上下を押下することで各種機能を決定することができる。例えば、選択キー１１１ｂの上部と下部は、押下することで、隣接する表示部１１０に表示される機能キーに対応して設定される機能を選択することができ、選択キー１１１ｃの上部と下部は、初期設定において、ネットワークキーとメールキーが割り当てられている。
【００４８】
図３（ｄ）において、バッテリーカバー２２３は、幅方向Ｗの右側方向にスライド可能に取り付けられており、２２３ａはこのバッテリーカバー２２３を移動させるための手掛け凹部である。
【００４９】
次に、図４を参照して、２つの筐体を引き伸ばした第２の状態の外観形状を説明する。図４中、（ａ）図は背面図、（ｂ）図は正面図、（ｃ）図は底面図を示している。なお、この第２の状態は、長手方向（幅方向Ｗ）の両端を上下として保持／使用される。
【００５０】
図４において、この実施形態では、２つの筐体のスライド面３０１に、２つの筐体を引き伸ばすためのスライド機構部３００を備えている。この機構の一例を図５に示す。
【００５１】
図５は、スライド機構部３００の概略構造を示している。上部が第１の筐体１００、下部が第２の筐体２００である。第２の筐体２００のスライド面３０１ｂには一対のスライド突起部３１０が設けられ、第１の筐体１００のスライド面３０１ａには、スライド突起部３１０に対応する位置にスライド溝部３１１が設けられている。スライド突起部３１０はスライド溝部３１１に嵌り込み、スライド突起部３１０の先端に形成した突起部によりスライド溝部３１１から外れないように取り付けられる。
【００５２】
スライド溝部３１１は、図４（ａ）に示すように幅方向Ｗに長く形成され、このスライド溝部３１１に取り付けられるスライド突起部３１０もまた幅方向Ｗに長く形成される。これにより、２つの筐体は幅方向Ｗの方向にはスライドするものの、他の方向には移動できなくなっている。また、スライド溝部３１１の長さは、図３の状態から図４の状態に変化する長さ分だけスライド突起部３１０の長さより長く設定している。
【００５３】
図４（ｂ）において、この実施形態では、この第２の状態で電話やメール機能を主使用目的に設定している。したがって、この第２の状態で露出するスライド面３１０ａに配置される文字・数値入力キー部２１２では、電話やメール機能に使用する機能キーが設定されている。例えば、この実施形態では、文字・数値入力キー部２１２を電源ＯＮ、ＯＦＦキーと待機状態を表示部１１０に表示させる通話ＯＮ・ＯＦＦキー２４０と、クリアーキー２４１と、通話キー２４２と、複数のキーからなる数値文字キー２４３とから構成される。
【００５４】
もちろん、この第２の状態においてもカメラ装置１３４によるカメラ撮影も可能である。このカメラ撮影を行なう場合は、カーソル決定キー１１１ａの操作により、メニュー画面を表示し、このメニュー画面からカメラ撮影モードを選択することで、一対の選択キー１１１ｂをカメラ撮影機能キーに設定し、これを操作することでカメラ撮影を行うことができる。
【００５５】
図４（ｃ）において、この実施形態では、クサビ型の２つの筐体を組合わせてスライド可能としているので、第２の状態では電話機能に最適な形態とすることができる。即ち、従来からハンドセットとして使用される形態は、このハンドセットを保持する保持部分よりマイク部２１０とスピーカ（第１のスピーカ部１０５）が使用者側に張り出した形状を備えている。これは、耳と口にマイク部２１０とスピーカを密着させてもハンドセットを確り保持するためである。この実施形態では、第１の状態から第２の状態に変化させることで従来のハンドセットと同様な形態とすることができる。
【００５６】
つまり、この実施形態では、マイク部２１０が配置されるスライド面３０１の延長線Ｐに対して、第１のスピーカ部１０５を使用者側（図面上方）に立ち上がっているので、従来のハンドセットと同様に、長手方向の中央に対して、マイク部２１０と第１のスピーカ部１０５の配置面を使用者側に張り出させることができる。更に、中央部分は、第１の筐体１００の薄い他端側１０２が延長線Ｐに段差を軽減して連続するので、ファンクションキー部１１１と文字・数値入力キー部２１２を連続したキー群として操作性を向上させることができる。
【００５７】
一方、マイク部２１０が配置される部分は、スライド面３０１の延長線Ｐに対して使用者と反対側（図面下方）に張り出して形成される。つまり、この実施形態では、撮影窓１１２が配置されるスライド面３０１の延長線Ｐに対して、マイク部２１０の後方を使用者と反対側（図面下方）に立ち上がっているので、長手方向の中央に対して、マイク部２１０の後方と撮影窓１１２の配置面を使用者の反対側に張り出させることができる。しかも、中央部分は、第２の筐体２００の薄い他端側２０２が延長線Ｐに段差を軽減して連続するので、筐体２の背面を連続した保持面とすることができるから、通話姿勢やメール入力姿勢に良好な保持性を取ることができる。
【００５８】
次に、図６、図７を参照して、この実施形態に係る携帯電話１の使用方法を説明する。先ず、図６において、この携帯電話１は、第２の状態で、通話ＯＮ／ＯＦＦキー２４０を長押しすることで、携帯電話１を電源ＯＮ状態として、受信待機状態とすることができる。更に、この通話ＯＮ／ＯＦＦキー２４０を再度、長押しすることで電源をＯＦＦ状態とすることができる。
【００５９】
この電源がＯＮ状態となった第２の状態では、図６に示すような保持姿勢で、携帯電話１を保持して、文字・数値入力キー部２１２）やファンクションキー部１１１を、点線で示すように親指で操作することができる。この親指操作では文字・数値入力キー部２１２の配置面に対してファンクションキー部１１１が配置される配置面が立ち上がって連続しているので、親指の操作が良好である。また、第２の筐体２００の背面側の厚みのある一端側２０１を手の平の中に入れ、薄い他端側２０２を人差し指で保持する姿勢で筐体１０を持つことができるので、この第２の状態での保持性を良好なものとすることができる。
【００６０】
特に、図６に示す第２の状態では、第２の筐体２００をすっぽり手の平の中に確り保持して、親指での操作が良好なため、従来のスライド機構を備えた携帯電話より手ブレを軽減することが期待できる。また、この実施形態によれば、図６に示す第２の状態から親指を筐体１０の側面にずらすことで通話姿勢を取ることができる。この通話姿勢では、マイク部２１０と第１のスピーカ部１０５（レシーバー部）を使用者の口と耳に近接させても、ファンクションキー部１１１や文字・数値入力キー部２１２が使用者の頬に触れることを軽減することができる。
【００６１】
次に、図７を参照して、第１の状態の使用方法を説明する。図７は携帯電話１を長手方向（幅方向Ｗ）両端を両手で保持した保持姿勢を示し、図７（ａ）は正面側（使用者側）、図７（ｂ）は背面側（被写体側）から見た状態を示している。
【００６２】
この実施形態によれば、例えば、両手の中指を筐体１０の背面側の下方で、人差し指を筐体１０の上面側で、親指を正面側でそれぞれ位置させて筐体１０を確り保持することができる。そして、この保持姿勢によれば、右手親指でファンクションキー部１１１を、右手人差し指でシャッタスイッチ２１３とモード切り替えスイッチ２１４を操作することができる。しかも、図７の保持姿勢によれば、撮影窓１１２と表示部１１０を指で隠すことなく、撮影や、撮影された画像をモニタすることができる。
（第２の実施形態）
図８は本発明による携帯情報端末（携帯電話機）の第２の実施形態を示す外観図であり、図８（ａ）が第２の状態の正面側からみた斜視図、図８（ｂ）が第１の状態の正面側からみた斜視図、図８（ｃ）が第１の状態の背面側からみた斜視図である。
【００６３】
図８において、符号２で総括的に示す携帯電話は、第１の筐体１００と、第２の筐体２００と、この２つの筐体をスライド可能に連結するスライド機構部３００とを備えている。この実施形態では、２つの筐体で構成される筐体１０全体を奥行方向Ｄより高さ方向Ｈが大きく、高さ方向Ｈより幅方向Ｗが大きい薄型偏平な直方体形状を基調としている。そして、この携帯電話２を上面からみて、略長方形の上面形状を対角線で前後に分割し、前部を第１の筐体１００とし、後部を第２の筐体２００としている。この２つの筐体は、互いの筐体を分割する面をスライド面３０１として、このスライド面３０１に設けた前記スライド機構部３００を介して、幅方向Ｗの方向にスライドさせることができる。
【００６４】
このように、この実施形態では、第１および第２の筐体を、筐体１０の幅方向Ｗの一方側に厚みを持たせ、この厚みのある一方側から他方側に向かって薄くなるような形状とし、そして、第１と第２の筐体を厚みのある一端側１０１、２０１と薄い他端側１０２、２０２とが前後に位置するように重ねて組み合わせ、この２つの筐体の接触する面をスライド面３０１として、筐体１０の幅方向にスライドする構造としている。これにより、２つの筐体を重ねた第１の状態では、筐体１０を直方体、即ち、薄い箱形の形状とし、２つの筐体を幅方向に引出した第２の状態では、幅方向の両端が奥行きがあり、２つの筐体が重なる中央部分は奥行きの少ない形状とすることができる。
【００６５】
したがって、第１の状態を携帯性に優れた形状とすることができるとともに、引き伸ばした第２の状態では、引き伸ばした筐体１０の長手方向を上下に保持することで、使用者の耳と口にあった長さが得られ、かつ保持性が良好な形状に変化させることができる。
【００６６】
また、この実施形態では、第１の筐体１００の広い面１０３（正面）の中央に表示部１１０を備え、奥行きのある端部側に第１のスピーカ部１０５とレシーバー部（図示省略）を配置し、先細りの端部側にファンクションキー部１１１を配置する。
【００６７】
一方、第２の筐体２００の広い面２０３（背面）の先細り側の端部（薄い他端側２０２）には撮影窓１１２またはカメラ用切欠部を配置する。そして、２つの筐体を引き伸ばした状態で露出する第２の筐体２００のスライド面３０１ａに文字・数値入力キー部２１２とマイク部２１０を配置し、第１の筐体のスライド面３０１ｂにカメラ装置１３４のレンズ部１１３を配置している。このカメラ部は、２つの筐体を縮めた第１の状態ではカメラ用窓またはカメラ用切欠部と重なって、この第１の状態でもカメラ撮影が可能になっている。
【００６８】
また、第１の状態で上面となる第２の筐体２００の奥行きのある側には、シャッタスイッチ２１３を配置している。これにより、第１の状態で、カメラ撮影を行う場合、右手で筐体を保持しながら、上面に設けた前記シャッタスイッチ２１３を操作することができる。
【００６９】
このように、この実施形態では、第１の筐体１００は、筐体１０の正面と一方の側面を構成し、第２の筐体２００は、筐体１０の背面と他の側面を構成するように、第１と第２の筐体をそれぞれ奥行きのある一方から他方に向かって細くなるくさび型形状の筐体としている。そして、この実施形態では、前記２つの筐体をくさび型とすることにより、各筐体の長手方向の一方を奥行き方向に厚い形状とし、他方を先のとがった形状とすることができる。これにより、前記厚い側の内部に奥行き方向にゆとりのある内部実装空間を確保することができるので、この広い内部実装空間を利用して奥行きのある内部実装品を配置することができる。
【００７０】
一方、先の尖った側には比較的厚さの小さい操作基板や制御基板の配置空間とすることができる。しかも、幅方向に引き伸ばすことによって生じる、第１と第２の筐体との間の段差を小さくすることがでいる。
【００７１】
そして、くさび型の２つ筐体を引き伸ばした状態では、長手方向の両端が太く（奥行き方向がある）、中央が細い、通話姿勢に良好な姿勢が得られる形態とすることができる。
（第３の実施形態）
図９は本発明による携帯情報端末（携帯電話機）の第３の実施形態を示す外観図であり、図９（ａ）が内部機構の一部を示す第１の状態の上面図、図９（ｂ）が内部機構の一部を示す第２の状態の上面図である。ここで、紙面下方が正面側、情報が背面側を示している。この実施形態は、筐体１０を、長手方向（幅方向Ｗ）の中央に配置される第1の筐体５１０と、その両側の第２の筐体５２０と第３の筐体５３０の３つの筐体とから構成し、この両側の２つの筐体５２０、５３０が第1の筐体５１０に対してスライド可能に設けたものである。
【００７２】
図９において、この第３の実施形態に係る携帯電話３は、第１の筐体５１０を上面からみて、前方が幅広く後方が幅の狭い台形状とし、この台形状の２つの傾斜面５１１と５１２をスライド面として、両側の２つの筐体５２０、５３０がスライド可能に取り付けられている。そして、図９（ａ）に示すように、第１の状態では上面形状が左右方向Ｗに長い横長矩形状となる前後方向に薄い箱型の形状を備え、図９（ｂ）に示すように、第２の状態では、両側の２つの筐体５２０、５３０が前記スライド面を介して斜め前方にスライドする構造を備えている。
【００７３】
そして、この第３の実施形態の特徴は、前記第１の筐体５１０の正面両側に２つの筐体の５２０、５３０の幅の狭い面５２１、５３１を残した点にある。この幅の狭い面５２１、５３１には、それぞれ第１のスピーカ部１０５と第２のスピーカ部２０５を備え、更に第１のスピーカ部１０５にはレシーバー部（図示省略）、第２のスピーカ部２０５にはマイク部２１０を備えるようにする。
【００７４】
一方、第１の筐体５１０の幅の広い面５１３には表示部１１０とファンクションキー部１１１が配置され、この表示部１１０とファンクションキー部１１１の内部に、前記幅の広い面５１３と平行な液晶装置１３０と操作基板１３２が配置され、その後方に第１の基板１３１が配置され、更にその後方にカメラ装置１３４が配置される。これによって、第１の筐体５１０の背面側の幅の狭い面５１４には撮影窓１１２が配置される。
【００７５】
これに対し、第２の筐体５２０と第３の筐体５３０の内部装置は、前記傾斜面（スライド面）５１１、５１２に沿って第３の基板５２２と第４の基板５３２がそれぞれ内蔵され、その２つの基板に前記スピーカ装置１３３とスピーカ装置２３４、マイク装置２３５が設けられる。そして、図９（ｂ）の第２の状態で露出する第２の筐体５２０と第３の筐体５３０のスライド面に文字・数値入力キー部２１２を一括して配置したり、あるいは分散して配置したりして配置している。
【００７６】
なお、シャッタスイッチ２１３とモード切り替えスイッチ２１４を第３の筐体５３０の上面に、マナーモード設定キー２１５を第２の筐体５２０の底面に、外部接続端子カバー２１６を第１の筐体の底面に、充電端子部２１７を第３の筐体の側面にそれぞれ設けるようにする。
【００７７】
このように、この実施形態では、図９（ａ）に示す第１の状態では、第１の実施形態と同様な作用効果を得ることができる。また、図９（ｂ）に示す第２の状態では、長手方向（幅方向Ｗ）を上下とするように、第１の筐体５１０の背面部分を保持すれば、第１の筐体５１０に対して、第１のスピーカ部１０５とマイク部２１０を使用者側に張り出させることができるので、一般のハンドセットと同様な保持姿勢が得られる。一方、この第２の状態では、第３の筐体５３０の背面側を保持することで、後方に張り出した第１の筐体５１０の背面部分が手に引っかかって保持性が向上し、この保持姿勢によれば、カメラ撮影も良好となる。
（第４の実施形態）
図１０は本発明による携帯情報端末（携帯電話機）の第４の実施形態を示す外観図であり、図１０（ａ）が内部機構の一部を示す第１の状態の上面図、図１０（ｂ）が内部機構の一部を示す第１段階の第２の状態の上面図、図１０（ｃ）が内部機構の一部を示す第２段階の第２の状態の上面図である。ここで、紙面下方が正面側、上方が背面側を示している。この実施形態は、前記第３の実施形態と同様に、筐体１０を、長手方向（幅方向Ｗ）の中央に配置される第1の筐体６１０と、その両側の第２の筐体６２０と第３の筐体６３０の３つの筐体とから構成し、この両側の２つの筐体６２０、６３０が第1の筐体６１０に対してスライド可能に設けたものである。ここで、第３の実施形態と違うのは、筐体１０の正面側全体を第１の筐体６１０の広い面６１３で構成した点である。そして、形態変化を図１０（ｂ）と図１０（ｃ）に示すように２段階にスライド可能に設けた点である。
【００７８】
この実施形態では、第１の状態では、筐体１０の正面（広い面６１３）に表示部１１０とファンクションキー部１１１が配置され、第１のスピーカ部１０５と第２のスピーカ部２０５とマイク部２１０が隠蔽される。したがって、この第１の状態では、カメラ撮影や簡単な携帯端末の機能に特化した、よりコンパクトな形態とすることができる。
【００７９】
そして、テレビなどを視聴する場合は、図１０（ｂ）のように第１のスピーカ部１０５と第２のスピーカ部２０５が配置される部分を部分的にスライド移動させる。これにより、表示部１１０の両側にスピーカが配置されるので、地上波デジタル放送の視聴が良好となる。
【００８０】
そして、携帯電話として使用する場合は、図１０（ｃ）のように、２つの筐体を更にスライド移動させることで、第３の実施形態と同様な作用効果を得ることができる。
【００８１】
なお、前記３つの形態変化に対応して図示しない内部切り替えスイッチにより、図１０（ａ）の状態ではカメラモード、図１０（ｂ）ではテレビモード、図１０（ｃ）の状態では電話モード主体の画面に切り替えるようにしても良い。
（その他の実施形態）
前記第１の実施形態では、正面側と背面側にそれぞれ他の筐体の一部１０４または２０４を残すようにしたが、背面側または正面側の一方にのみ他の筐体の一部を残すようにしても良い。
【００８２】
また、前記第２から第４の実施形態では、説明を簡単にするために、その図面が直線的な形状で表現しているが、第１の実施形態と同様に、図２から図４で図示したような丸みを持たした形状で実施化するとよい。
【図面の簡単な説明】
【００８３】
【図１】本発明に係る携帯情報端末（携帯電話）の外観図である。
【図２】本発明に係る携帯情報端末（携帯電話）の断面図である。
【図３】本発明に係る携帯情報端末（携帯電話）の筐体を縮めた状態の外観図である。
【図４】本発明に係る携帯情報端末（携帯電話）の筐体を引き伸ばした状態の外観図である。
【図５】本発明に係る携帯情報端末（携帯電話）のスライド機構を示す断面図である。
【図６】本発明に係る携帯情報端末（携帯電話）の筐体を引き伸ばした状態の保持姿勢の説明図である。
【図７】本発明に係る携帯情報端末（携帯電話）の筐体を縮めた状態のカメラ撮影姿勢の説明図である。
【図８】本発明に係る第２の実施形態の携帯情報端末（携帯電話）の外観図である。
【図９】本発明に係る第２の実施形態の携帯情報端末（携帯電話）の外観図である。
【図１０】本発明に係る第２の実施形態の携帯情報端末（携帯電話）の外観図である。
【符号の説明】
【００８４】
１…携帯電話、１０…筐体、１００…第１の筐体、１０１…厚みのある一端側、１０２…薄い他端側、１０３…第１の筐体の広い面、１０４…一部、１０５…第１のスピーカ部、１１０…表示部、１１１…ファンクションキー部、１１１ａ…カーソル決定キー、１１１ｂ、１１１ｃ…一対の選択キー、１１２…撮影窓、１１３…レンズ部、１２０…内カバー、１２１…外カバー、１２２…ベース筐体、１２３…化粧カバー、１３０…液晶装置、１３１…第１の基板を、１３２…操作基板、１３３…スピーカ装置、１３４…カメラ装置、１３５…基板部品、２００…第２の筐体、２０１…厚みのある一端側、２０２…薄い他端側、２０３…第２の筐体の広い面、２０４…一部、２０５…第２のスピーカ部、２１０…マイク部、２１２…文字・数値入力キー部、２１３…シャッタスイッチ、２１４…モード切り替えスイッチ、２１５…マナーモード設定キー、２１６…外部接続端子カバー、２１７…充電端子部、２２０…内カバー、２２１…外カバー、２２２…ベース筐体、２２３…バッテリーカバー、２３０…第２の基板、２３１…バッテリー部、２３２…外部接続端子部、２３３…基板部品、２３４…スピーカ装置、２３５…マイク装置、２３６…アンテナ、２４０…通話ＯＮ／ＯＦＦキー、２４１クリアーキー、２４２……通話キー、２４３…数値文字キー、３００…スライド機構部、３０１、３０１ａ、３０１ｂ…スライド面、３１０スライド突起部、３１１…スライド溝部、Ｄ…奥行方向、Ｈ…高さ方向、Ｗ…幅方向。
【図１】
2005084955.tif 000003
【図２】
2005084955.tif 000004
【図３】
2005084955.tif 000005
【図４】
2005084955.tif 000006
【図５】
2005084955.tif 000007
【図６】
2005084955.tif 000008
【図７】
2005084955.tif 000009
【図８】
2005084955.tif 000010
【図９】
2005084955.tif 000011
【図１０】
2005084955.tif 000012